(57)【特許請求の範囲】
【請求項１】
左右の支柱を上下１対の連結杆で連結し、棚受けブラケットを介して棚板を支持するようにした商品陳列棚において、前記１対の連結杆の対向面に、コの字形の対向片の一片を短小とした断面コの字形のサッシュを固定し、かつサッシュ内に納まる厚さで、上下のサッシュの底面間の寸法より短く、前記短小片同士の先端間の長さよりやや長い高さを有するバックボードの左右側端に、側サッシュを嵌合固定し、前記側サッシュの上下端部を、バックボードとともに、正面から上下サッシュ間に着脱可能に嵌合した商品陳列棚。
【請求項２】
左右の支柱を上下１対の連結杆で連結し、棚受けブラケットを介して棚板を支持するようにした商品陳列棚において、上下の連結杆の対向面に、溝の深さが異なる断面コの字形のサッシュを固定し、かつサッシュ内に納まる厚さで、上下のサッシュの底面間の寸法よりやや短く、上下のサッシュの構成片の先端間の長さよりやや長い高さのバックボードの左右側端に、側サッシュを嵌合固定し、前記側サッシュの上下端部を、バックボードとともに、正面から上下サッシュ間に着脱可能に嵌合した商品陳列棚。
【請求項３】
側サッシュに、バックボードの上端と下端に当接する折曲片を設けた請求項１又は２に記載の商品陳列棚。
【請求項４】
側サッシュに、バックボード取付け操作時の手掛け部を設けた請求項３に記載の商品陳列棚。
【請求項５】
バックボードを、左右方向に複数枚に分割し、各バックボード間を連結する中間サッシュを、上下サッシュ間に嵌合して取付けた請求項１〜４のいずれかに記載の商品陳列棚。
【請求項６】
中間サッシュが、樋状の本体突起部と、本体突起部と連続した上下先端突起部と、本体突起部の全長に亘って左右両翼に延設された所定の幅の鍔とを具備している請求項５に記載の商品陳列棚。
【請求項７】
上下先端突起部が、上下サッシュの溝に滑動可能に嵌合され、中間サッシュが左右方向に可動である請求項６に記載の商品陳列棚。
【発明の詳細な説明】
【０００１】
【発明の属する技術分野】
本発明は、商品陳列棚に関し、特に、商品陳列棚の背面に着脱可能にバックボードを取り付けることにより、他者の視界を遮り、商品を吟味選択する際のプライバシー等を保護するようにした商品陳列棚に関する。
【０００２】
【従来の技術】
近年、衣・食・住に関わる商品を総合的に備え、低価格、大量販売を目的とする大規模小売店は、代表的なスーパーマーケットの他に、ハイパーマーケット、ディスカウントストア、スーパーセンター、カテゴリーキラー、ファクトリーアウトレット、ホールセールクラブ、コンビニエンスストア、ワンプライスショップ、アウトレトモール、ドラッグストア、ホームセンタ、ビデオショップ等複雑に多様化してきている。
【０００３】
これらの小売店に共通することは、顧客が商品を手にとって吟味選択し、レジカウンターにもって行くセルフサービスである。そのため、これらの店舗における商品の陳列方法は、消費者行動を含む現代の最新のマーケティング手法を採用し、商品が、顧客にとって見やすく、手に取りやすく、よい連想を起こさせ、かつそして購入したいと思わせるように工夫した商品陳列によって、顧客の購買意志を、できるだけ速やかに決定させて、販売促進機能を発揮させるようにしている。
【０００４】
このような機能をもつ商品陳列法として、従来、左右の支柱を上下１対の連結杆で連結し、棚受けブラケットを介して多数の棚板を支持させた商品陳列棚(以下、単に商品陳列棚という)が使用されている。
【０００５】
ところで、これらの店舗においては、通路の広さ、および陳列器具と什器備品の配列方法を考慮して、各売場と売場以外の部分のスペースの配分を詳細に設計している。
その代表的な配列方法においては、グリッドパターンで、陳列器具と什器備品の最適な標準化を計画することを目的として、通路を、互いに直線誘導型で交差するように設計されている。
【０００６】
そこで、限られた面積の店舗フロアーを有効に利用するために、商品陳列棚を通路に沿って設置したり、或いは背中合わせに設置することが多い。この場合、通路側或いは背中合わせに設置した一方の商品陳列棚から、対向する商品陳列棚を見通すことができ、顧客が購入しようとしている商品が、他者に分かってしまうる場合がある。
【０００７】
マーケッティング調査によると、消費者が商品の購入あるいは使用を決定する大きな要因は、外的刺激である「他者の眼」と、内的刺激である「本人の思いいれ」であるといわれている。
【０００８】
外的刺激である「他者の眼」が、内的刺激である「本人の思いいれ」に好影響を与えると、一層購買意欲が刺激され、一方、外的刺激である「他者の眼」が、内的刺激である「本人の思いいれ」に悪影響を与えると、商品の購買意欲が低下し、購入を断念する結果になる。
【０００９】
ところで、商品陳列棚に陳列される商品には、衣・食・住に関わる各種日用雑貨品だけではなく、成人男子向け書籍、図画、ビデオ、或いは下着類、衛生・医薬品類等まで、多岐にわたっている。これら後者の商品を購入する際には、できる限り「他者の眼」を意識せずに、十分に吟味選択して、「本人の思いいれ」に合った商品を購入したいと思うのが消費者心理である。
【００１０】
しかし、グリッドパターン陳列法により、商品陳列棚を通路に沿って設置したり、背中合わせに設置した場合、通路側或いは背中合わせに設置した一方の商品陳列棚から、対向する商品陳列棚を見通すことができ、顧客が「他者の眼」を意識せずに、「本人の思いいれ」に合った商品を十分に吟味選択することができ難くなるという不都合が生じる。
【００１１】
この不都合を解消するために、従来、商品陳列棚の背面にバックボードを取付け、他者の眼を遮る方法が提案されている。
【００１２】
図９を参照して、従来技術の１例を説明する。従来の商品陳列棚(01)は、左右１対の支柱(02)(02)の下部を、予め下部連結杆(03)で連結しておく。下部連結杆(03)の上面には、バックボード(08)が挿入される溝を上向にして、下部サッシュ(04)を、タッピングビスで固定してある。
【００１３】
次いで、バックボード(08)が挿入される溝を内向きにして、左右の側サッシュ(011)(011)を、それぞれ左右の支柱(02)(02)の対向面にタッピングビスで固定する。その際、左右の側サッシュ(02)(02)の下端部は、下部サッシュ(04)の溝の中に嵌るようにする。次いで、左右の側サッシュ(011)(011)の溝をガイドとして、バックボード(08)を上から差し込む。最後に、バックボード(08)が挿入される溝を下向にして、上部サッシュ(06)が下面に予め固定された上部連結杆(07)を、左右の支柱(02)(02)に連結して、商品陳列棚(01)の組付が完成する。
【００１４】
【発明が解決しようとする課題】
ところで、店舗の経営、コストの点からは、簡便に間仕切ができ、かつ商品の陳列レイアウト等を行う簡便な移動式陳列棚は、店舗内の設置場所において、陳列商品の種類や商品のレイアウト、及び周辺の色彩調和等に応じて、商品陳列棚にバックボードを簡単に取り付けたり、或いは取り外したり、または木調、金属、樹脂、鏡等の材質の変更や色調の変更のため交換したりすることができて、商品陳列棚の用途の幅を制限しないことが必要である。
【００１５】
しかし、上記の従来技術の場合には、設置場所においてバックボードの着脱や交換を想定してなく、予め商品陳列棚にバックボードを組み付けた状態で使用するようになっているので、商品陳列棚の用途が、上述した「他者の眼」を意識する商品に限定され、用途の幅が狭くなる。無論、このタイプの商品陳列棚を、通常の日用雑貨品陳列用に使用してもよいが、その場合には、本来不要なコストがかかる。
【００１６】
従って、上述した従来の陳列棚においては、上部連結杆の連結が未完成の状態でバックボードの組付を行うので、左右の支柱同士の連結が不安定となり、バックボードを組み付ける前に左右の支柱を横に倒すと、下部連結杆の連結部を破損する危険性があり、かつ、バックボードの挿入に際して、バックボードの下端は、左右の支柱の上端まで持ち上げなければならないとともに、側サッシュの溝に沿ってバックボードを上方から落とし込むには、バックボードを真直ぐ立てなければならないことにより、バックボードの取付け作業には、上方に邪魔するものが無い場所を必要とし、しかも安全に作業するには、補佐する人を要するような課題がある。
【００１７】
また本発明が解決するべき別の課題は、左右の支柱を上下１対の連結杆で連結し、棚受けブラケットを介して、多数の棚板を設けた商品陳列棚の背面に、商品陳列棚の幅寸法違いにも対応できるような構造のバックボードを、必要に応じて店舗内で着脱可能に取り付けることができるようにし、それにより、商品陳列棚の共通化をはかり、用途を拡大し、コスト削減に資することである。
本発明が解決するべき別の課題及び利点は、以下逐次明らかになると思う。
【００１８】
【課題を解決するための手段】
本発明によると、上記課題は次のようにして解決される。
(１)左右の支柱を上下１対の連結杆で連結し、棚受けブラケットを介して棚板を支持するようにした商品陳列棚において、前記１対の連結杆の対向面に、コの字形の対向片の一片を短小とした断面コの字形のサッシュを固定し、かつサッシュ内に納まる厚さで、上下のサッシュの底面間の寸法より短く、前記短小片同士の先端間の長さよりやや長い高さを有するバックボードの左右側端に、側サッシュを嵌合固定し、前記側サッシュの上下端部を、バックボードとともに、正面から上下サッシュ間に着脱可能に嵌合する。
【００１９】
(２)左右の支柱を上下１対の連結杆で連結し、棚受けブラケットを介して棚板を支持するようにした商品陳列棚において、上下の連結杆の対向面に、溝の深さが異なる断面コの字形のサッシュを固定し、かつサッシュ内に納まる厚さで、上下のサッシュの底面間の寸法よりやや短く、上下のサッシュの構成片の先端間の長さよりやや長い高さのバックボードの左右側端に、側サッシュを嵌合固定し、前記側サッシュの上下端部を、バックボードとともに、正面から上下サッシュ間に着脱可能に嵌合する。
【００２０】
(３)上記(１)又は(２)項において、側サッシュに、バックボードの上端と下端に当接する折曲片を設ける。
【００２１】
(４)上記(３)項において、側サッシュに、バックボード取付け操作時の手掛け部を設ける。
【００２２】
(５)上記(１)〜(４)項のいずれかにおいて、バックボードを、左右方向に複数枚に分割し、各バックボード間を連結する中間サッシュを、上下サッシュ間に嵌合して取付ける。
【００２３】
(６)上記(５)項において、中間サッシュが、樋状の本体突起部と、本体突起部と一体になった上下先端突起部と、本体突起部の全長に亘って左右両翼に延設された所定の幅の鍔とを具備する。
【００２４】
(７)上記(６)項において、上下先端突起部を、上下サッシュの溝に滑動可能に嵌合し、中間サッシュを左右方向に可動とする。
【００２５】
【発明の実施の形態】
図１〜図３は、本発明の商品陳列棚の第１の実施形態を示すもので、図１は、本発明に係る商品陳列棚の組立斜視図、図２は、図１のIIーII線に沿った縦断面図、図３は、分解斜視図である。
【００２６】
以下図１〜図３を参照して、本発明の商品陳列棚とその組立要領を説明する。
商品陳列棚(１)は、左右１対で互いに対称構造をなす支柱(２)(２)を備え、その支柱(２)(２)の対向面(2a)(2a)同士の脚(2b)より少し上の部分を、下部連結杆(３)で水平に連結固定する。
【００２７】
下部連結杆(３)の上面には、溝(4a)を上向きにした下部サッシュ(４)が、タッピングビス(５)により、予め固定されている（図２参照）。
【００２８】
同様に、図２に示す如く、溝(6a)を下向にしてタッピングビス(５)で上部サッシュ(６)が予め下面に固定された上部連結杆(７)により、支柱(２)(２)の対向面(2a)(2a)同士の上端を、水平に連結固定する。
これにより、１対の支柱(２)(２)と下部連結杆(３)と上部連結杆(７)は、４辺形の枠状をなして強固に固定され、安定に自立可能な状態をなしている。
【００２９】
バックボード(８)は、下部サッシュ(４)と上部サッシュ(６)の互いに向き合っている溝(4a)(6a)の中に、嵌め込まれている。
【００３０】
下部サッシュ(４)及び上部サッシュ(６)は、バックボード(８)を嵌め込もうとする側、例えば図２の左方を正面として、その正面からバックボード(８)を嵌め込もうとすれば、下部と上部の両サッシュ(４)(６)の正面側である前片(9a)(9b)が、後片(10a)(10b)よりかなり短小の対向コ字形断面を有している。
【００３１】
バックボード(８)の高さ(Ｈ)は、下部サッシュ(４)及び上部サッシュ(６)の対向する前片(9a)(9b)の先端間の距離、即ち上下間口(ｈ)より長く、かつバックボード(８)が、下部サッシュ(４)に嵌り込んで安定しているとき、例えばバックボード(８)の下端が、下部サッシュ(４)を止めるタッピングビス(５)の頭に乗っているとき、バックボード(８)の上端が、上部サッシュ(６)の溝(6a)から外れることがないように、バックボード(８)の上端を、上部サッシュ(６)の前片(9b)より若干上方に位置させ、しかも、バックボード(８)を持ち上げて、バックボード(８)の上端を、上部サッシュ(６)を固定するタッピングビス(５)の頭に当接させたとき、バックボード(８)の下端を、下部サッシュ(４)の溝(4a)から外して、下部サッシュ(４)の前片(4a)より上方に位置するように、下部と上部の両サッシュ(４)(６)の溝(4a)(6a)の深さを定めてある。
【００３２】
なお、下部サッシュ(４)を止めるタッピングビス(５)の頭のところは、バックボード(８)の嵌り込みに関して、下部サッシュ(４)の実質的底面をなし、また、上部サッシュ(６)を固定するタッピングビス(５)の頭のところは、同じくバックボード(８)の嵌り込みに関して、上部サッシュ(６)の実質的底面に相当している。
【００３３】
下部サッシュ(４)と下部連結杆(３)、及び上部サッシュ(６)と上部連結杆(７)の固定を、溝(4a)(6a)の底に突出を生じないように、皿ネジ止め、またはスポット溶接などで固定すれば、バックボード(８)の上下端が当接する部所は、両溝(4a)(6a)の底面と合致する。
【００３４】
上述のような構成とした第１の実施形態において、バックボード(８)を下部サッシュ(４)及び上部サッシュ(６)の間に納めるには、商品陳列棚に正対して、バックボード(８)の左右両側端を把持し、図２の仮想線で示す如く、バックボード(８)の上端を、斜め上方に上部サッシュ(６)の溝(6a)に挿入した後、バックボード(８)の下端を、下部サッシュ(４)の溝(4a)に落とし込めば、簡単に嵌め込むことができる。
【００３５】
また、この操作の逆を行えば、下部サッシュ(４)及び上部サッシュ(６)の間に一旦納めたバックボード(８)を、簡単に取り外すことができる。そのため、狭い店舗内で、必要に応じて、バックボード(８)を商品陳列棚の正面から着脱可能に取り付けることができる。
【００３６】
上記バックボード(８)の着脱に際して、上部サッシュ(６)の後片(10b)を、前片(9b)より長くしておくことにより、バックボード(８)の嵌め込みに際して、バックボード(８)の上端が、比較的広い範囲において、上下の位置決めに案内を受け、上部サッシュ(６)の溝(6a)の装着が容易となる。
【００３７】
また、下部サッシュ(４)の後片(10a)を、前片(9a)より長くしておくことにより、バックボード(８)の上端を、上部サッシュ(６)の溝(6a)に嵌め込んだ後、バックボード(８)の下端を下部サッシュ(４)の溝(4a)に嵌め込むに際して、溝(4a)との整合性を考慮することなく、バックボード(８)の下端を、後片(10a)に当接するまで押し込むことにより、容易にバックボード(８)の下端を、溝(4a)に嵌め込むことができる。
【００３８】
図４は、本発明の商品陳列棚の第２の実施形態を示す。なお、第２以降の実施形態において、第１の実施形態におけるのと同一の部材には、同一の符号を付すに止め、それらについての詳細な説明は省略する。
【００３９】
図４で示した第２の実施形態における下部サッシュ(４')及び上部サッシュ(６')は、溝(4a)(6a)の前片(9a)(9b)、後片(10a')(10b')共に、同じ長さとしてある。
これにより、バックボード(８)の着脱方向は、正面方向だけではなく、後面方向、即ち、図４の右方向からも着脱可能とする。
【００４０】
このような状況が生じる場合は、支柱(２)(２)を利用して、正面側に陳列棚が形成されて、商品が陳列されている状態で、バックボードの色を替えたり、鏡に変更して空間の広がりを変更する等して、陳列効果を試験したり、演出する場合などである。
【００４１】
図５は、本発明に使用するバックボード(８)の好ましい実施形態の１例を示す。
バックボード(８)は、コスト、重量軽減を勘案して、安価で、軽量の各種ボード類、たとえば、プラスチックボード、ハードボード、セミハードボード、インシュレーションボード、パーティクルボード、フレキシブルボード、プラスターボード等からなっており、かつ高さや、幅に比べて、厚さが薄いので、強度に劣る場合があり、長手方向の曲げに対して補強するのが好ましい。
【００４２】
図５において、(11)はバックボード(８)の左右両側端縁部に取り付けた側サッシュである。
側サッシュ(11)は、バックボード(８)の左右それぞれに、互いに内側を向く溝を介して嵌め込まれ、かつ上下の両端には、バックボード(８)の上端と下端に当接する折曲片(13)を設けて、上下に移動しないようにするとともに、バックボード(８)を外したときに、各角部を破損しないように保護してある。
【００４３】
さらに、両側の側サッシュ(11)とバックボード(８)は、側サッシュ(11)の後片に設けたネジ孔(11a)と止めネジ(11b)を介して、バックボード(８)を商品陳列棚(１)から取り外したときも、互いに外れないように固定されている。
側サッシュ(11)の前片には、中央部から上下２ヶ所に円形の手掛かけ孔(12)を設けてあり、この手掛かけ孔(12)は、バックボード(８)を着脱するに際して、バックボード(８)を持ち上げたり、支持したりするのに、指先を引っ掛けるのに使用される。
【００４４】
また、側サッシュ(11)に手掛かけ孔(12)を設けることにより、バックボード(８)を持ちやすくなり、バックボード(８)の着脱が容易になる。手掛かけ孔(12)に代わり、指で把持できる形状の突起とすることもあるが、陳列する商品の種類によっては、手掛け孔とすれば、突起物等がなくて望ましくなる。
【００４５】
また、バックボード(８)の装着を容易にする突起やハンドルを側サッシュ(11)に設ける場合、正面側の前片に設けると、体裁が悪くなったり、邪魔になったりするが、後片側に設けると、それが解消される。
この場合、バックボード(８)の装着は、組付者が後面側に回り、バックボード(８)は正面側から入れる場合と、図４に示すようにバックボード(８)も後面側から入れる場合が可能である。
【００４６】
図６は、側サッシュ(11)の拡大斜視図である。
バックボード(８)に側サッシュ(11)を固定する手段は、特段に限定されない。上述したように、外部から止めネジ(11b)等で固定することにより、バックボード(８)と側サッシュ(11)が外れなくなり、着脱作業が容易になるとともに、側サッシュ(11)の上下端に、長手方向の溝の両端を塞いで、バックボード(８)を長手方向にずれ難くする折曲片(13)を設けてあり、側サッシュ(11)とバックボード(８)の装着も容易になっている。
【００４７】
図７は、本発明の商品陳列棚の別の実施形態の組立斜視図である。
図７に示す商品陳列棚(１A)は、バックボード(８A)が２枚のバックボード(8a)(8b)からできている。
【００４８】
個々のバックボード(8a)(8b)の幅は、前述の図１に示す１枚のものと同じ大きさのもので、支柱(２)(２)間の距離は、図１のものの倍サイズになっている。
そのため、下部連結杆(３A)と下部サッシュ(４A)及び上部連結杆(７A)と上部サッシュ(６A)も倍サイズになっている。
そして、両バックボード(8a)(8b)の間には、中間サッシュ(14)が、上下サッシュ(６A)(４A)の間に、横方向に滑動可能に嵌め込まれている。
【００４９】
図８は、中間サッシュ(14)の拡大斜視図である。
【００５０】
中間サッシュ(14)は、樋状の本体(15)と、本体(15)と一体をなす先端突出部(16)(17)、本体(15)の全長に亘って左右両翼に延設された所定の幅の鍔(18)(19)とから構成されている。
先端突出部(16)(17)が、上下サッシュ(６)(４)の溝の中に差し込まれる差し込み部となっており、上下サッシュ(６)(４)の溝の中に滑動可能に嵌設されている。
【００５１】
商品陳列棚の幅寸法は一様ではなく、通常は、幅寸法の違う商品陳列棚が品揃えされる。しかし、幅寸法が違う商品陳列棚毎に、１枚のバックボードを揃えることは不経済であるが、図８及び９に示した第４の実施形態の中間サッシュ(14)を設けることによって、バックボードを複数枚(8a)(8b)に分割することができ、バックボードの兼用が可能になる。
【００５２】
たとえば、幅１８００mmの商品陳列棚のバックボードを中間サッシュで２分割すると、幅９００mmのバックボードを２枚使用することになる。一方、幅１５００mmの商品陳列棚のバックボードを、中間サッシュで幅６００mmと幅９００mmに２分割すると、前記幅１８００mmの商品陳列棚用に準備した幅９００mmのバックボードを兼用することができる。
【００５３】
このように、中間サッシュ(14)を使用することによって、標準幅のバックボードを複数枚支度しておけば、幅寸法が違う商品陳列棚に対応することができ、バックボードの共用化が可能であり、幅寸法の違う商品陳列棚毎に、バックボードを揃えることの不経済を排することができる。
【００５４】
また、中間サッシュを使用することによって、強度の弱いバックボードを１枚で使用するより、強度補強に資することができる。
【００５５】
さらに、中間サッシュ(14)の本体(15)の左右両翼に延設された所定の幅の鍔(18)(19)が、複数枚に分割したバックボード(8a)(8b)を案内するガイド、連結した際の継ぎ目を隠す目隠し材、及び裏当て材として機能する。従って、複数枚に分割したバックボード(8a)(8b)を連結した際の始末が少々悪くても、或いは隙間等不具合があっても、それを隠すことができる。また、バックボードを複数枚に分割し、連結した場合に発生する撓みを補強する補強材として機能する。
【００５６】
以上、本発明を片面型商品陳列棚に関して説明してきたが、両面型商品陳列棚に片面型商品陳列棚と同じ手法が適用できる。
【００５７】
【発明の効果】
請求項１及び２項に記載の発明によると、狭い店舗内で、必要に応じて、バックボードを商品陳列棚の正面から商品陳列棚の背面に着脱可能に取り付けることができる。
また、強度が弱い材料、たとえば、プラスチックボード、ハードボード、セミハードボード、インシュレーションボード、パーティクルボード、フレキシブルボード、プラスターボード等で成形されているバックボードの強度が補強される。
【００５８】
請求項３に記載の発明によると、バックボードを、上下に移動しないようにするとともに、バックボードを外したときに、各角部を破損しないように保護することができる。
【００５９】
請求項４に記載の発明によると、バックボードの移動、取り扱いが容易になる。
【００６０】
請求項５に記載の発明によると、標準幅のバックボードを複数枚準備しておけば、幅寸法が違う商品陳列棚に対応することができ、バックボードの共用化が可能であり、幅寸法の違う商品陳列棚毎に、バックボードを揃える不経済を排することができる。
【００６１】
請求項６に記載の発明によると、複数枚に分割したバックボードを案内するガイド機能と、連結した際の継ぎ目、或いは連結の始末の不具合を隠す目隠し機能、及び複数枚のバックボードを補強する効果がある。
【００６２】
請求項７に記載の発明によると、中間サッシュを、上下サッシュの溝で左右方向に可動であり、商品陳列棚の幅を任意に分割することができる。
【図面の簡単な説明】
【図１】  本発明の第１の実施形態を示す商品陳列棚の組立斜視図である。
【図２】  図１におけるII−II線拡大縦断面図である。
【図３】  図１における商品陳列棚の分解組立図である。
【図４】  図１における上下サッシュの別の実施形を示す図２と同様の縦断面図である。
【図５】  図１におけるバックボードと側サッシュを示す斜視図である。
【図６】  図１における側サッシュの拡大斜視図である。
【図７】  本発明の別の実施形態を示す商品陳列棚の組立斜視図である。
【図８】  図７における中間サッシュの拡大斜視図である。
【図９】  従来の商品陳列棚を示す一部分解斜視図である。
【符号の説明】
(１)(１A)商品陳列棚
(２)左右支柱
(2a)対向面
(2b)脚
(３)下部連結杆
(４)(4')(4A)下部サッシュ
(4a)(6a)溝
(５)タッピングビス
(６)(6')(6A)上部サッシュ
(７)上部連結杆
(８)(8a)(8b)バックボード
(9a)(9b)前片
(10a)(10a')(10b)(10b')後片
(11)側サッシュ
(11a)ネジ孔
(11b)止めネジ
(12)手掛け孔
(13)折曲片
(14)中間サッシュ
(15)本体
(16)(17)先端突起部
(18)(19)鍔
【図１】
0004070184.tif 000002
【図２】
0004070184.tif 000003
【図３】
0004070184.tif 000004
【図４】
0004070184.tif 000005
【図５】
0004070184.tif 000006
【図６】
0004070184.tif 000007
【図７】
0004070184.tif 000008
【図８】
0004070184.tif 000009
【図９】
0004070184.tif 000010